(57)【特許請求の範囲】
【請求項１】
レンズストッパ機構であって、
ケースと、
レンズを中に載置するためのレンズホルダーと、
前記レンズホルダーを取り囲む枠と、
を備え、
前記レンズホルダーは、その周縁に対して外方へ突出する少なくとも１個の突起部と、前記突起部の前記ケースに対向する側に位置し、かつ、前記レンズホルダーを前記ケースに向かって所定距離移動させた後に、前記ケースに当接する少なくとも１個のストッパ部と、前記突起部の前記ケースに対向する側とは反対側に位置し、かつ、前記突起部よりも径方向内側に位置する回り止め部と、を備えており、
前記枠は、前記回り止め部に係止する少なくとも１個の凹部を備えることを特徴とするレンズストッパ機構。
【請求項２】
前記枠は、少なくとも１個のケースストッパ部を更に備え、前記ケースストッパ部が前記ケースを支持することで前記レンズ、及び、前記レンズホルダーを前記ケースの内部において光軸方向に沿って移動させることができることを特徴とする請求項１に記載のレンズストッパ機構。
【請求項３】
前記突起部は、放射状を呈して前記ケースの四角隅部の方向に向かって延伸することを特徴とする請求項１に記載のレンズストッパ機構。
【発明の詳細な説明】
【技術分野】
【０００１】
本発明は、レンズ装置に関し、特に、従来のストッパカバーを備えないレンズストッパ機構に関する。
【背景技術】
【０００２】
撮像装置は、ピント調整機能を実現するため、一般的にレンズを撮像装置の中に光軸に沿って前後移動させてフォーカス調整を行うことで被写体を鮮明に撮影画面の中に表示するよう設計されている。この光軸に沿って行う移動距離は、通常実際の装置ニーズによって範囲を設定し、レンズを余りにも遠い位置に移動させて不良な影響が起きることはない。この目的を達成するため、従来のアプローチは、ケースとレンズホルダーの間にストッパカバーを取り付け、レンズホルダーにレンズを載置してケースに向けて移動する時、所定移動範囲の制限を超えた場合、該レンズホルダーが該ストッパカバーに当って強制的に外方へ移動し続けることを停止する。
【０００３】
図１を参照すると、従来のレンズストッパ機構立体分解図である。図１に示すように、従来のケース１０及び従来のレンズホルダー４０の間にストッパカバー２と上部板バネ３とを備える。ストッパカバー２は、従来のレンズホルダー４０の移動距離の制限に用いられ、従来のレンズホルダー４０の移動が所定移動範囲を超えた時、従来のレンズホルダー４０の一部がストッパカバー２に当ってストッパカバー２が抵抗力を提供して従来のレンズホルダー４０の外方への継続的な移動を阻止し、従来のレンズホルダー４０の移動を某特定範囲に制限させる目的を達成することで、撮像装置の正常作用を維持する。
【０００４】
上記のストッパカバーは、レンズの外方への移動を阻止する抵抗力を提供し、このような設計は、撮像装置内の素子数量を増やし、且つ、撮像装置の厚さ及び重量もこれに伴って増加するが、電子機器の小型化及び軽量化が求められている近代では、このような設計を明らかに改良する必要があった。
【発明の概要】
【発明が解決しようとする課題】
【０００５】
そこで、本発明は上記の従来技術の問題点に鑑みて、撮像装置がこのストッパカバーを備えなくてもレンズ動き止めの抵抗力を効果的に提供し、レンズの移動を特定範囲に制限させて正常に作用でき、同時に撮像装置内に設置する素子数量を減らすと共に撮像装置の厚さ及び重量を低減することで、撮像装置の小型化という最終目標を達成する従来のストッパカバーのないレンズストッパ機構を提供することを目的とする。
【課題を解決するための手段】
【０００６】
本発明の目的を達成するため、ケースとレンズホルダーとを含むレンズストッパ機構を提供する。該レンズホルダーは、レンズを載置し、少なくとも１個のストッパ部を備え、該レンズホルダーを該ケースに向かい所定距離移動させた後、該ストッパ部が該ケースに当接する。該レンズホルダーは、好ましくは更に少なくとも１個の突起部を備え、該突起部が該レンズホルダーの周縁に対して外方へ突起し、該ストッパ部が該突起部の該ケースに対向する側に位置する。該突起部は、放射状を呈して該ケースの四角隅部の方向に向かって延伸することが好ましい。
【０００７】
該レンズストッパ機構は、更に枠を含む。該枠は、該レンズホルダーを取り囲み、少なくとも１個の該突起部の一部に係止する凹部を備える。該枠は、少なくとも１個のケースストッパ部を備えることが好ましい。該ケースストッパ部は、該撮像装置を制限し、該レンズ及び該レンズホルダーを該ケースの内部において光軸方向に沿って移動させることができる。
【発明の効果】
【０００８】
前述の続きとして、本発明に係るレンズストッパ機構は、従来のストッパカバーを除去したとしてもレンズ及びレンズホルダーの移動を効果的に制限できる。こうすることで、本発明のレンズストッパ機構を運用する撮像装置は、装置内の素子数量を減らすと共に撮像装置全体の厚さ及び重量を低減し、撮像装置を小型化、軽量化させることができる。
【図面の簡単な説明】
【０００９】
【図１】従来のレンズストッパ機構の立体分解図である。
【図２】本発明のレンズストッパ機構の立体分解図である。
【図３】本発明のレンズホルダーの突起部拡大図である。
【図４】本発明の側面透視図である。
【発明を実施するための形態】
【００１０】
以下に、具体的実施例を挙げて本願の内容を詳細に説明し、また図面を補助説明とする。説明において言及する符号は、図面符号を参照する。説明において「含む」は、オープンエンドの用語で、「含むが、これに限定されない」として解釈する。このほか、発明の属する技術の分野における通常の知識を有する者は、同一素子／製品が常に異なる呼び方があり、例えば「レンズホルダー」或いは「レンズ保持器」である。よって本明細内で言及する同じ分野で且つ機能が類似した素子／製品は、当然本明細書の範囲内に含まれる。
【００１１】
図２を参照すると、本発明のレンズストッパ機構の立体分解図である。図２に示すように、本発明のレンズストッパ機構は、ケース１１と上板バネ３とレンズホルダー４１と枠５とレンズ駆動装置６とを備える。ケース１１は、撮像装置１００の最外側（結像素子に対して）に位置し、撮像装置１００の保護と停止に用いられる。上板バネ３は、レンズホルダー４１と枠５の上方に設けられ、弾性支持を提供する。レンズホルダー４１は、レンズ（図示略）を載置するために用いられ、光軸方向Ｚに沿って移動して撮像装置１００の焦点距離を変更させることができる。枠５がレンズホルダー４１の周囲に設けられ、レンズホルダー４１を取り囲むと共にケース１１を支持し、レンズ及びレンズホルダー４１をケース１１の内部において光軸方向Ｚに沿って移動させることができる。レンズ駆動装置６は、焦点距離変化用コイル、磁石、下板バネ、手振れ防止用コイル、フレキシブル回路基板、基台、ホール素子等の素子で構成され、ボイスコイルモータを制御することで、焦点距離変化の制御及び光学手振れ防止の機能を実現し、また上記のケース１１、上板バネ３、レンズホルダー４１、枠５を載置するために用いられる。
【００１２】
以下に、本発明の重点部分であるケース１１とレンズホルダー４１と枠５とが、如何にしてレンズストッパ機構を形成するかについて詳細に説明する。枠５は、ケースストッパ部５１を備え、ケースストッパ部５１がケース１１を支持することで、レンズ及びレンズホルダー４１がケース１１の内部において光軸方向Ｚに沿って移動することができる。レンズホルダー４１は、突起部４１１を備え、突起部４１１がレンズホルダー４１の周縁に対して外方に向かって突起する。図３を参照しながら説明する。図３は、本発明のレンズホルダー４１の突起部４１１の拡大図である。図３に示すように、突起部４１１は、ストッパ部４１１１と回り止め部４１１２とを備える。ストッパ部４１１１は、突起部４１１のケース１１に対向する一側に位置し、回り止め部４１１２が突起部４１１のケース１１に対向する他側に位置する。レンズ駆動装置６は、レンズ及びレンズホルダー４１を駆動してケース１１に向かって所定距離を移動した後、ストッパ部４１１１がケース１１に当接してレンズホルダー４１及びその載置しているレンズの移動を強制的に停止する。言い換えると、ケース１１が抵抗力を提供してレンズ及びレンズホルダー４１が光軸方向Ｚに沿って外方へ移動し続けることを阻止するため、本発明のケース１１と突起部４１１のストッパ部４１１１とで形成されるストッパ機構は、従来の撮像装置内のストッパカバーを代替でき、レンズ及びレンズホルダー４１の外方への移動を効果的に制限できる。
【００１３】
このほかに、本実施例において突起部４１１が放射状を呈してケース１１の四角隅部の方向に向かって延伸し、ストッパ部４１１１とケース１１の接触をケース１１の四角隅部付近に発生させる。こうすることでストッパ部４１１１とケース１１の当接は安定する。
【００１４】
突起部４１１の回り止め部４１１２は、突起部４１１のケース１１に対向する他側に位置し、枠５の凹部５２に係止する。つまり、突起部４１１の一部（即ち回り止め部４１１２）が枠５の凹部５２に係止して、レンズホルダー４１が枠５の中で光軸方向Ｚを軸中心線として回転を行うことができず、こうすることでレンズが撮像装置内において回転しない特性を保証する。
【００１５】
本発明の実施例に示すレンズホルダー４１において、ストッパ部４１１１が突起部４１１内に位置する。ただし、発明の属する技術の分野における通常の知識を有する者は、本発明の精神と範囲から逸脱することなく、ストッパ部も突起部４１１内に設けられることなくレンズホルダー４１のケース１１に向かう一面上の任意の箇所に設けられることで、光軸方向Ｚに沿って外方へ移動した後ケース１１に当接する停止効果を奏することができることについて理解すべきである。この状況において、ストッパ部４１１１とケース１１との接触が、ケース１１の四角隅部付近に発生しないようにすることができる。更に、ストッパ部をケース１１に向かう一面上の任意の箇所に設けることができるため、レンズホルダー４１は、突起部４１１を備えないでストッパ部のみを設けることもできる。
【００１６】
図４を参照すると、本発明の側面透視図である。図４に示すように、レンズホルダー４１がレンズ（図示略）を載置すると共に撮像装置１００の中央に置かれ、枠がレンズホルダー４１の周囲に設けられてレンズホルダー４１を取り囲む。枠のケースストッパ部５１はケース１１を支持する。この場合、レンズ及びレンズホルダー４１は引き込み位置（つまりレンズ及びレンズホルダー４１がケース１１に向かって移動していない状態）にある。レンズ及びレンズホルダー４１がレンズ駆動装置の駆動を通じて光軸方向Ｚに沿ってケース１１に向かい移動した後、レンズホルダー４１のストッパ部４１１１が比較的高さを有するため、ストッパ部４１１１が先にケース１１に当接し、ケース１１が抵抗力を提供して、レンズ及びレンズホルダー４１が外方へ移動し続けることを阻止し、レンズ及びレンズホルダー４１の移動を特定範囲内に制限する。
【００１７】
上記を取りまとめると、本発明のレンズホルダーがストッパ部を備え、直接ケースに当接し、ケースが抵抗力を提供してレンズ及びレンズホルダーが光軸に沿って外方へ移動し続けることを阻止できるため、本発明内のケースとレンズホルダーのストッパ部で形成するストッパ機構は、レンズ及びレンズホルダーを特定範囲内に移動することを効果的に制限できる。こうすることで、従来のストッパカバーを除くことができ、撮像装置内に設置する素子数量を減らし、また撮像装置の厚さ及び重量を低減でき、撮像装置を小型化、軽量化させることができる。このほか、本発明の突起部の一部（即ち回り止め部）が枠の凹部に係止し、レンズ及びレンズホルダーによる枠の中での回転状況が発生せず、モータの損傷を防止でき、且つ、結像品質も安定化できる。
【００１８】
発明の詳細な説明の項においてなされた実施例は、あくまでも本発明の技術内容を明らかにするものであって、このような具体例のみに限定されて狭義的に解釈されるべきものではなく、本発明の精神と範囲を逸脱せずに種々の改良変更をなし得ることは、添付されている特許請求の範囲内に含められるものである。
【符号の説明】
【００１９】
１０…従来のケース、１００…撮像装置、１１…ケース、２…ストッパカバー、３…上板バネ、４０…従来のレンズホルダー、４１…レンズホルダー、４１１…突起部、４１１１…ストッパ部、４１１２…回り止め部、５…枠、５１…ケースストッパ部、５２…凹部、６…レンズ駆動装置
【図１】
0005849121.tif 000002
【図２】
0005849121.tif 000003
【図３】
0005849121.tif 000004
【図４】
0005849121.tif 000005